(57)【特許請求の範囲】
【請求項１】
一対のカップ部と、前記カップ部の下辺に縫着された土台部と、前記カップ部から側方に延びるバック布と、一端が前記カップ部の上辺に取り付けられ、多端が前記バック布の上辺に取付けられたストラップとからなる、ブラジャー部を有する女性用衣料において、複数のボーンを、該ボーンの下端部が上端部より前記土台部側に位置するように、前記バック布に斜めに設け、前記カップ部の側部と最もカップ部よりの前記ボーンの間に、伸縮性テープを設け、前記バック布の係止部近傍に伸び止め部材を設けたことを特徴とする女性用衣料。
【請求項２】
前記土台部の肌側にクッション材を設けたことを特徴とする、請求項１記載の女性用衣料。
【発明の詳細な説明】
【技術分野】
【０００１】
本発明は、肩甲骨の動きをスムースにするブラジャー部を有する女性用衣料に関する。
【背景技術】
【０００２】
ブラジャーには、バストを支えるだけでなく、肋骨の動きを矯正する作用を有するブラジャーがある。
【先行技術文献】
【特許文献】
【０００３】
【特許文献１】特開２００４−１１５９４７号公報
【特許文献２】実用新案登録３０９８４２０号公報
【発明の概要】
【発明が解決しようとする課題】
【０００４】
特許文献１に記載の発明では、人体骨格とバストを側面部から中央部に向けて引き寄せるブラジャーが記載されている。ところが、当該発明では上記の効果はあるものの、肩甲骨の動きをスムースにすることはできなかった。また、特許文献２に記載の考案では、バック布に複数本のボーンを設けたブラジャーが記載されている。ところが、当該発明には乳房周辺の肉が両脇に逃げることを防止する効果はあるが、人体骨格を中央部に向けて引き寄せることはできなかった。
【課題を解決するための手段】
【０００５】
一対のカップ部と、カップ部の下辺に縫着された土台部と、カップ部から側方に延びるバック布と、一端が前記カップ部の上辺とに取り付けられ、他端が前記バック布の上辺に取り付けられたストラップからなるブラジャー部を有する女性用衣料において、複数のボーンを、ボーンの下端部が上端部より土台部側に位置するように、バック布に斜めに設け、カップ部の側部と最もカップ部よりのボーンの間に伸縮性テープを設け、バック布の係止部近傍に伸び止め部材を設けたことを特徴とする女性用衣料により上記の課題を解決する。
【０００６】
また、土台部の肌側にクッション材を設けたことを特徴とする女性用衣料により、上記課題を解決すると共に、だん中を刺激する。
【発明の効果】
【０００７】
請求項１記載の発明によれば、肋骨を側部から体の中心部に向かって引き寄せ、サポートすることにより、肩甲骨の動きをスムースにすることができる。請求項２の発明によれば、だん中というつぼを刺激することにより、女性ホルモンの分泌を活発にすることができる。
【図面の簡単な説明】
【０００８】
【図１】本発明の第１実施例の正面図である。
【図２】本発明の第１実施例の背面図である。
【図３】本発明の第１の実施例を人体に着用した状態の簡略図である。
【図４】人体後側から見た筋肉と骨格の一部を示した部分筋肉骨格図である。
【図５】人体前側から見た簡略図である。
【発明を実施するための形態】
【０００９】
本発明の実施例を説明する前に、肩甲骨、肋骨、胸骨、だん中の位置関係を図４及び図５を用いて説明する。
【００１０】
図４は、人体を後側から見た筋肉と骨格の一部を示した、部分筋肉骨格図である。図中、１０１は肩甲骨であり、肋骨１０２の後側に位置する。肩甲骨１０１は、肋骨１０２と直接はつながっていないが、両者の動きは密接に関係している。肩甲骨１０１は、上腕骨１０３と鎖骨１０４につながっており、数多くのインナーマッスルに支えられている。
【００１１】
図５はだん中１０５の位置を示した簡略図である。だん中１０５は、左右の乳首を結んだ線の中央に位置し、女性ホルモンの分泌と関係があるツボである。
【実施例１】
【００１２】
図１に示されているのは、本発明の実施例であるブラジャー１である。ブラジャー１は、左右一対のカップ部２、カップ部の下辺に縫着された土台部３、カップ部２から側方（図１中、左右方向）に延びる一対のバック布４、カップ２の上辺に一端が縫着され、バック不４の上辺に他端が縫着されている一対のストラップ５からなる。
【００１３】
カップ部２は３枚の生地を接ぐことによって立体感を出しており、クッション性と所定の厚さを有する２枚の生地２１、２２と、表地と裏地の間に非伸縮性素材を設けた伸び止め部２３からなる。カップ２の表側には、適宜レース地を縫い付けてもよい。なお、生地２２の肌側にはパッドポケットを縫い付け、パッドを挿入できるようにしてもよい。カップ２の下辺に沿ってワイヤーチューブ６を縫い付け、その中にワイヤーを挿入している。
【００１４】
土台部３は、非伸縮性の生地からなり、その上辺が、左右両カップ２の下辺に縫着され、左右両カップ２の最下点Ｌ間に設けられている。本実施例では、非伸縮性レース生地３１を表側に設けることにより、非伸縮性の土台部３としている。土台部３の肌側には、クッション材３２を、両カップ２のワイヤーチューブ６と二辺が接し、後述の下辺テープ４４と一辺が接するように縫着されている（図２参照）。本実施例では、クッション材３２は３Ｄファイバーフィルを用いているが、それに限定されないのは当然である。
【００１５】
クッション材３２は、ブラジャー１の着用時に、だん中１０５に接するような位置にある。
【００１６】
バック布４は、伸縮性の表側生地４１と、表側生地とは伸縮性の異なる肌側生地４２を、上辺と下辺において、伸縮性の上辺テープ４３、下辺テープ４４と共に縫着することにより構成され、ワイヤーチューブ６に縫着されることにより構成され、ワイヤーチューブ６に縫着されることにより、カップ２とつながっている。本実施例では、表側生地４１にツーウェイトリコットを用い、肌側生地４２にメッシュ状のパワーネットを用いているが、伸縮生地であれば、他の生地であってもよい。なお、本実施例では、上辺テープ４３、下辺テープ４４は、肌側に縫着されている。
【００１７】
バック布４には、２本のプラスティック製のボーン４５，４６が、上辺テープ４３と下辺テープ４４の間に、下端部が上端部より土台部３側（図１中、中心側）に位置するように、斜めに縫着されている。ボーンは複数本縫着されていなければならないが、２本であることが好ましい。
【００１８】
表側生地４１とと肌側生地４２の間には、表側生地４１と肌側４２より強パワーの伸縮性テープ７を設けている。伸縮性テープ７は、一端がカップ部２の側部のワイヤーチューブ６に縫着され、多端がボーン４５に縫着されている。それ以外は縫着されず、表側生地４１と肌側生地４２の双方からフリーの状態となっていて、適宜伸縮する。
【００１９】
通常、ワイヤーチューブ６とボーン４５の間は、非伸縮性生地が用いられているが、本実施例のような構成とすることにより、肺呼吸によって肋骨が広がることに対応しつつ、適度なパワーを有して肋骨をサポートしている。
【００２０】
本実施例では、伸縮性テープ７は、一つのバック布４にそれぞれ２本ずつ取付けられているが、２本でなくてもよいのは当然である。
【００２１】
バック部４の係止部４７，４８近傍には、非伸縮性レースからなる伸び止め部材４９が縫着されている。伸び止め部材４９は、表側生地４１に縫着されることにより、係止部４７，４８近傍の伸びを止めている。
【００２２】
このように構成されたブラジャー１は、着用されると以下のような作用を奏する。
【００２３】
前述のように、土台部３と係止部４７，４８近傍の伸び止め部４９は、非伸縮性素材でできており、これらの箇所は着用者の体が動いてもそれに追従することなく、所定の位置で留まっている。従って、この２点を固定点として、バック布４の他の部分を伸縮させることにより、着用者の身体をサポートする。
【００２４】
２本のボーン４５，４６は、図３中、上から下に行くに従って、土台部３に近づくように斜めになっており、着用時に肋骨の各骨に略平行となるように設計されている。このため、着用者が呼吸をした際、肋骨が開閉するが、ボーン４５，４６が肋骨を支える構造となっている。
【００２５】
ここで、ワイヤーチューブ６とボーン４５の間が伸縮する構造となっているので、呼吸による肋骨の開閉に応じて、当箇所が伸縮する。
【００２６】
呼吸には肩甲骨の動きが深くかかわっているが、肋骨と肩甲骨が適切に離れていないと肩甲骨はスムースに動くことができない。本発明では、肋骨を支えることによって、肩甲骨と肋骨の間を適当に暖め、肩甲骨の動きをスムースにすることができる。これにより、着用者は、深い呼吸をすることができる。また、肩甲骨がスムースに動くことにより、肋骨と肩甲骨の間のリンパ管の流れがよくなり、バストの下垂を防ぐことができる。
【００２７】
さらに、クッション部材３２がだん中１０５を刺激することにより、女性ホルモンが分泌され、バストに好影響を与える。
【実施例２】
【００２８】
実施例１では、ブラジャー１について説明したが、本発明はこれに限定されないのはもちろんである。ブラジャー部を有する女性衣料であれば、何にでも適用できる。例えば、ボディシェイパー、キャミソール等に適用できる。
【符号の説明】
【００２９】
１    ブラジャー
２    カップ部
３    土台部
４    バック布
５    ストラップ
６
ワイヤーチューブ
７    伸縮テープ
３１    レース生地
３２    クッション材
４１    表側生地
４２    肌側生地
４３    上辺テープ
４４    下辺テープ
４５    ボーン
４６    ボーン
４７    係止部（アイ）
４８    係止部（フック）
４９    伸び止め部
１０１    肩甲骨
１０２    肋骨
１０３    上腕骨
１０４    鎖骨
１０５    だん中
【図１】
0005406059.tif 000002
【図２】
0005406059.tif 000003
【図３】
0005406059.tif 000004
【図４】
0005406059.tif 000005
【図５】
0005406059.tif 000006